(57)【要約】    【課題】  天井への構築が容易であり、的確な吸音効果を施し、案内のためのアナウンスなどを適切に聞き取ることができる雰囲気を構築することができる天井吊り吸音材システムを提供する。    【解決手段】  天井吊り吸音システムにおいて、天井の下面に配置される吸音体設置用レール２と、この吸音体設置用レール２に着脱自在なバネ付きヒンジ４を有する係止部材３と、この係止部材３の下部に設けられるヒンジ９と、このヒンジ９に連設される突起部８と、この突起部８と一体化される吸音体６とを具備する。【選択図】図１
2006219932.tif 000002
【特許請求の範囲】
【請求項１】
（ａ）天井の下面に配置される吸音体設置用レールと、
（ｂ）該吸音体設置用レールに着脱自在なバネ付きヒンジを有する係止部材と、
（ｃ）該係止部材の下部に設けられるヒンジと、
（ｄ）該ヒンジに連設される突起部と、
（ｅ）該突起部と一体化される吸音体とを具備することを特徴とする天井吊り吸音システム。
【請求項２】
請求項１記載の天井吊り吸音システムにおいて、前記バネ付きヒンジは摘み部と挟み部と軸に巻かれたコイルバネとを具備することを特徴とする天井吊り吸音システム。
【請求項３】
請求項１記載の天井吊り吸音システムにおいて、前記吸音体が板状の吸音体であることを特徴とする天井吊り吸音システム。
【請求項４】
請求項１記載の天井吊り吸音システムにおいて、前記吸音体が円柱状の吸音体であることを特徴とする天井吊り吸音システム。
【請求項５】
請求項１記載の天井吊り吸音システムにおいて、前記吸音体設置用レールを縦横に配置し、騒音源に対応させて前記縦横の吸音体設置用レールの所望の位置に前記吸音体を配置することを特徴とする天井吊り吸音システム。
【請求項６】
請求項１記載の天井吊り吸音システムにおいて、前記吸音体の配置間隔を調整することを特徴とする天井吊り吸音システム。
【請求項７】
請求項１から６記載の何れか一項記載の天井吊り吸音システムにおいて、前記吸音体を広告媒体としてなることを特徴とする天井吊り吸音システム。
【請求項８】
請求項１記載の天井吊り吸音システムにおいて、前記吸音体が多孔質の材料からなる軽量体であることを特徴とする天井吊り吸音システム。
【請求項９】
請求項１記載の天井吊り吸音システムにおいて、前記吸音体が中央に音響反射性の部材を有し、その両側に多孔質の吸音部材を有することを特徴とする天井吊り吸音システム。
【請求項１０】
請求項１記載の天井吊り吸音システムにおいて、前記吸音体が内部に多孔質の吸音部材を有し、その外側に枠状に低周波用吸音部材を有することを特徴とする天井吊り吸音システム。
【請求項１１】
請求項１記載の天井吊り吸音システムにおいて、前記吸音体の内部に多孔質の吸音部材を有し、その中央に音響反射性の部材を有し、また多孔質の吸音部材の外側に低周波用吸音部材を有することを特徴とする天井吊り吸音システム。
【発明の詳細な説明】
【技術分野】
【０００１】
本発明は、天井に配置される天井吊り吸音システムに関するものである。
【背景技術】
【０００２】
従来、騒音源の周囲にある建物の壁面や天井などは、反響音を低減させるために吸音材が用いられている。
【０００３】
そのような吸音材としては、以下に示すような各種のものがある（下記特許文献１〜３及び非特許文献１〜３参照）。
【特許文献１】特開２００３−１２２３７０号公報
【特許文献２】特開２００３−１２２３７１号公報
【特許文献３】特開２００３−１５０１７０号公報
【非特許文献１】石川和久他，「低周波数用吸音材の開発」，昭和電線レビュー、Ｖｏｌ．５３，Ｎｏ．１（２００３），ｐｐ．４１−４４
【非特許文献２】新製品紹介，「低周波騒音用吸音制振材の開発」，昭和電線レビュー、Ｖｏｌ．５２，Ｎｏ．１（２００２），ｐｐ．８５
【非特許文献３】新製品紹介，「低周波数騒音用吸音材（広帯域対応型）」，昭和電線レビュー、Ｖｏｌ．５４，Ｎｏ．１（２００４），ｐｐ．６５
【発明の開示】
【発明が解決しようとする課題】
【０００４】
しかしながら、鉄道の駅や空港などの建物の中の、ホールを兼ねた通路であるコンコースなどでは、案内のためのアナウンスが、鉄道の通過音や騒音などの反響音にかき消されて良く聞き取れないといった問題があり、そのような空間に対応した吸音システムの構築が求められている。
【０００５】
また、天井仕上げ材に多孔質型吸音材を使用すると、経年劣化が大きいことが問題となっていた。
【０００６】
本発明は、上記状況に鑑みて、天井への構築が容易であり、的確な吸音効果を奏し、案内放送等の明瞭度の向上、騒音レベルの低減を図ることができる天井吊り吸音システムを提供することを目的とする。
【課題を解決するための手段】
【０００７】
本発明は、上記目的を達成するために、
〔１〕天井吊り吸音システムにおいて、天井の下面に配置される吸音体設置用レールと、この吸音体設置用レールに着脱自在なバネ付きヒンジを有する係止部材と、この係止部材の下部に設けられるヒンジと、このヒンジに連設される突起部と、この突起部と一体化される吸音体とを具備することを特徴とする。
【０００８】
〔２〕上記〔１〕記載の天井吊り吸音システムにおいて、前記バネ付きヒンジは摘まみ部と挟み部と軸に巻かれたコイルバネとを具備することを特徴とする。
【０００９】
〔３〕上記〔１〕記載の天井吊り吸音システムにおいて、前記吸音体が板状の吸音体であることを特徴とする。
【００１０】
〔４〕上記〔１〕記載の天井吊り吸音システムにおいて、前記吸音体が円柱状の吸音体であることを特徴とする。
【００１１】
〔５〕上記〔１〕記載の天井吊り吸音システムにおいて、前記吸音体設置用レールを縦横に配置し、騒音源に対応させて前記縦横の吸音体設置用レールの所望の位置に前記吸音体を配置することを特徴とする。
【００１２】
〔６〕上記〔１〕記載の天井吊り吸音システムにおいて、前記吸音材の配置間隔を調整することを特徴とする。
【００１３】
〔７〕上記〔１〕から〔６〕記載の何れか一項記載の天井吊り吸音システムにおいて、前記吸音体を広告媒体としてなることを特徴とする。
【００１４】
〔８〕上記〔１〕記載の天井吊り吸音材システムにおいて、前記吸音体が多孔質の吸音部材からなる軽量体であることを特徴とする。
【００１５】
〔９〕上記〔１〕記載の天井吊り吸音材システムにおいて、前記吸音体が中央に音響反射性の部材を有し、その両側に多孔質の吸音部材を有することを特徴とする。
【００１６】
〔１０〕上記〔１〕記載の天井吊り吸音材システムにおいて、前記吸音体が内部に多孔質の吸音部材を有し、その外側に枠状に低周波用吸音部材を有することを特徴とする。
【００１７】
〔１１〕上記〔１〕記載の天井吊り吸音システムにおいて、前記吸音体の内部に多孔質の吸音部材を有し、その中央に音響反射性の部材を有し、また多孔質の吸音部材の外側に低周波用吸音部材を有することを特徴とする。
【発明の効果】
【００１８】
本発明によれば、以下のような効果を奏することができる。
【００１９】
（１）騒音源に対応した室内の吸音効果を容易に向上させることができる。
【００２０】
（２）室内の吸音力を容易に高くすることが可能となるため、案内放送等の明瞭度の向上、騒音レベルの低減が可能となる。
【００２１】
（３）天井仕上げ材に多孔質型吸音材を使用すると、経年劣化が大きいことが問題となっていたが、本発明では容易に吸音体を交換することが可能なため、メンテナンス性が向上する。
【発明を実施するための最良の形態】
【００２２】
本発明の天井吊り吸音材システムは、天井の下面に配置される吸音体設置用レールと、この吸音体設置用レールに着脱自在なバネ付きヒンジを有する係止部材と、この係止部材の下部に設けられるヒンジと、このヒンジに連設される突起部と、この突起部と一体化される吸音体とを具備する。よって、騒音源に対応した室内の吸音効果を容易に構築することができる。
【実施例】
【００２３】
以下、本発明の実施の形態について詳細に説明する。
【００２４】
図１は本発明の実施例を示す天井吊り吸音体の構成を示す斜視図、図２はその正面図、図３はその天井吊り吸音体の支持部の断面図である。
【００２５】
これらの図において、１は天井板、２はその天井板１より垂下した留め具としての吸音体設置用レール、３はその吸音体設置用レール２に係止される係止部材、４はその係止部材３のバネ付きヒンジであり、目玉クリップのように、軸４Ａにはコイルバネ４Ｂが巻かれており、上部には挟み部４Ｃ、下部には挟み部４Ｃを開かせる摘み４Ｄが設けられている。５は前記軸４Ａと一体化された垂下部、６は軽量な吸音体（例えば、多孔質材や通気性のある布など）、７はその吸音体６の上面部、８はその上面部７と一体化された突起部、９はその突起部８と前記垂下部５の下端部が枢着されるヒンジである。このヒンジ９は吸音体６が風圧力を受ける場合に、その外力を低減させる機能を果たす。
【００２６】
そこで、天井板１に設けられた吸音体設置用レール２に下方より係止部材３を押し上げて嵌着して掛けると、吸音体６を天井板１の所定位置に容易に配置することができる。その場合、吸音体６にかかる風圧などの外力はヒンジ９により低減されるので、吸音体６の係止部材３には殆ど風圧などの外力は掛からず、係止部材３は安定して吸音体６を支持することができる。
【００２７】
また、吸音体６を吸音体設置用レール２から外す場合には、バネ付きヒンジ４を少し持ち上げてから摘み４Ｄを強く摘むと、吸音体設置用レール２から挟み部４Ｃが離脱することにより、容易に吸音体６を吸音体設置用レール２から外すことができる。
【００２８】
このように、吸音体６は吸音体設置用レール２へ簡単に装着できるとともに、吸音体６は吸音体設置用レール２から簡単に取り外すことができる。
【００２９】
したがって、一般的には、取り付け・取り外し作業が困難な高所である天井において、本発明の天井吊り吸音体は、その作業を容易に行うことができる。
【００３０】
その結果、騒音源の位置に対応させて、吸音体設置用レール２の所望の位置に吸音体６を配置することができ、的確にその吸音効果を奏することができる。
【００３１】
図４は本発明の実施例を示す複数の天井吊り吸音体を広告媒体として用いた例を示す図である。
【００３２】
横に配置された複数の天井吊り吸音体１１〜１５に文字や絵などの広告を施すようにすることができる。
【００３３】
このように、複数の天井吊り吸音体を有効利用することができる。
【００３４】
また、天井付近を明るくする必要がある場合には、光をより反射させる薄い部材で吸音体を被覆するようにしてもよい。
【００３５】
図５は本発明の実施例を示す天井吊り吸音体の構造を示す断面図である。
【００３６】
図５（ａ）に示す天井吊り吸音体２１は、多孔質材や通気性のある布２２からなるように構成している。
【００３７】
図５（ｂ）に示す天井吊り吸音体３１は、中央に音響反射性の部材３２を配置して、その両側に多孔質材や通気性のある布３３を配置している。
【００３８】
図５（ｃ）に示す天井吊り吸音体４１は、内側に多孔質材や通気性のある布４２を配置して、外側に枠状に低周波用吸音板４３（例えば、被膜付き発泡体）を配置することができる。このような構造とすることにより、特に、低周波帯の騒音を効果的に低減させることができる。
【００３９】
図５（ｄ）に示す天井吊り吸音体５１は、中央に音響反射性の板５２を配置し、その両側に多孔質材の通気性のある布５３を設け、その外表面に枠状の低周波数用吸音板５４を配置することができる。
【００４０】
このように、吸音体の内部に多孔質の吸音部材を有し、その中央に音響反射性の部材を有し、また多孔質の吸音部材の外側に低周波用吸音部材を設けることができる。
【００４１】
図６は本発明の他の実施例を示す天井吊り吸音体（円柱形状）の構造を示す図である。
【００４２】
この実施例では、上記した板状の吸音体に代えて、円柱形状の吸音体５１とする。その場合には、吸音体５１自体の重量が大きくならないように、軽い材質のものを用いるように配慮することが望ましい。
【００４３】
図７は本発明の実施例を示す天井吊り吸音体の配置例を示す図である。
【００４４】
この図において、天井板６１より垂下した留め具としての吸音体設置用レール６２が縦横に配置され、騒音源（図示なし）に対応させて、その縦横に配置されたレール６２の所望の位置に天井吊り吸音体６３を配置している。その天井吊り吸音体６３の間隔も自由に設定することができる。
【００４５】
図８は本発明の天井吊り吸音体を試験的に配置した図面に代わる代用写真、図９は図８の場合とその天井吊り吸音体が無い場合の特性を示す図であり、横軸に中心周波数（Ｈｚ）、縦軸に残響時間（ｓ）を示す図であり、○は吸音体なし、●は吸音体ありの場合である。
【００４６】
図８に示すように、天井吊り吸音体（４５ｃｍ×４５ｃｍ）を室内の天井に縦横に配置すると、吸音体なしの場合に比べて、残響時間（ｓ）を約１／３低減させていることが明らかである。
【００４７】
このように、本発明によれば、天井吊り吸音体の設置により、騒音源に対する室内の吸音力を容易に高くすることが可能となるため、案内放送等の明瞭度の向上、騒音レベルの低減が可能となる。
【００４８】
なお、本発明は上記実施例に限定されるものではなく、本発明の趣旨に基づき種々の変形が可能であり、これらを本発明の範囲から排除するものではない。
【産業上の利用可能性】
【００４９】
本発明の天井吊り吸音材システムは、騒音源に対応して構築することができる天井吊り吸音材としての利用が可能である。
【図面の簡単な説明】
【００５０】
【図１】本発明の実施例を示す天井吊り吸音体の構成を示す斜視図である。
【図２】本発明の実施例を示す天井吊り吸音体の正面図である。
【図３】本発明の実施例を示す天井吊り吸音体の支持部の断面図である。
【図４】本発明の実施例を示す複数の天井吊り吸音体を広告媒体として用いた例を示す図である。
【図５】本発明の実施例を示す天井吊り吸音体の構造を示す断面図である。
【図６】本発明の他の実施例を示す天井吊り吸音体（円柱形状）の構造を示す図である。
【図７】本発明の実施例を示す天井吊り吸音体の配置例を示す図である。
【図８】本発明の天井吊り吸音体を試験的に配置した図面に代わる代用写真である。
【図９】図８の場合とその天井吊り吸音体が無い場合の特性を示す図である。
【符号の説明】
【００５１】
１，６１    天井板
２，６２    吸音体設置用レール
３    係止部材
４    バネ付きヒンジ
４Ａ    軸
４Ｂ    コイルバネ
４Ｃ    挟み部
４Ｄ    摘み
５    垂下部
６    吸音体
７    吸音体の上面部
８    上面部の突起部
９    ヒンジ
１１〜１５    複数の天井吊り吸音体
２１，３１，４１，５１，６３    天井吊り吸音体
２２，３３，４２    多孔質材や通気性のある布
３２    音響反射性の部材
４３，５４    枠状の低周波用吸音板
５２    音響反射性の板
５３    多孔質材の通気性のある布
５５    円柱形状の吸音体
【図１】
2006219932.tif 000003
【図２】
2006219932.tif 000004
【図３】
2006219932.tif 000005
【図４】
2006219932.tif 000006
【図５】
2006219932.tif 000007
【図６】
2006219932.tif 000008
【図７】
2006219932.tif 000009
【図９】
2006219932.tif 000010
【図８】
2006219932.tif 000011